(57)【要約】【課題】異なる時期に同じ人物の顔撮影を行う場合に、同一条件での撮影を行うことが可能な顔撮影装置を提供する。【解決手段】顔が正面位置を向く第１の姿勢において顔の正面画像を撮影し、顔が正面位置以外を向く第２の姿勢において顔の側面画像を撮影する顔撮影装置であって、正面位置に設置される撮像カメラ４と、第２の姿勢において視線位置を合わせるためのミラー６と、を備えたことを特徴とする。ミラー６の表面に十字線７を形成することが好ましい。【選択図】図１
2009009069.tif 000002
【特許請求の範囲】
【請求項１】
顔が正面位置を向く第１の姿勢において顔の正面画像を撮影し、顔が正面位置以外を向く第２の姿勢において顔の側面画像を撮影する顔撮影装置であって、
正面位置に設置される撮像手段と、
第２の姿勢において視線位置を合わせるための目標物と、を備えたことを特徴とする顔撮影装置。
【請求項２】
前記目標物は、ミラーもしくは板部材であることを特徴とする請求項１に記載の顔撮影装置。
【請求項３】
前記目標物は、十字線であることを特徴とする請求項１に記載の顔撮影装置。
【請求項４】
前記十字線は、ミラー表面もしくは板部材表面に形成されること特徴とする請求項３に記載の顔撮影装置。
【発明の詳細な説明】
【技術分野】
【０００１】
本発明は、顔が正面位置を向く第１の姿勢において顔の正面画像を撮影し、顔が正面位置以外を向く第２の姿勢において顔の側面画像を撮影する顔撮影装置に関するものである。
【背景技術】
【０００２】
かかる顔撮影装置は、美容皮膚科、美容外科、形成外科などにおいて使用されており、定期的に人の顔を撮影することで肌の状態の経時的な変化を観察し、化粧品や肌治療の効果を確認する目的で使用されている（例えば、下記特許文献１）。具体的には、得られた顔画像からシミ・シワ・毛穴・色ムラなどの評価を行なうものであり、さらには、紫外線を使用したポルフィリン・かくれジミなどの評価も行なわれている。このような肌状態の評価を行なうために、以前に撮影した顔画像と今回撮影した顔画像とを画像処理技術（ソフトウェア）を用いて比較することが行なわれている。従って、以前の顔画像と現在の顔画像が同じ条件で撮影されている必要がある。
【０００３】
【特許文献１】特開２００４−３０２４２４号公報
【発明の開示】
【発明が解決しようとする課題】
【０００４】
また、顔画像の撮影は、顔が正面を向いた状態と左右の横を向いた状態で行なわれる。そのため、正面位置に撮像カメラ（撮像手段）を設置し、顔が撮像カメラの方向を向いているときに正面画像の撮影を行う。ついで、顔の姿勢を変更し、横を向いた状態で側面画像の撮影を行う。顔画像を撮影するために、顔の姿勢を保持するための保持手段（あご載せ台や額押さえ）が使用されているが、以前の顔の姿勢と現在の顔の姿勢とを同じ姿勢になるようにすることは難しい。正面画像については、例えば、撮像カメラのレンズに視線を向けるなどすれば、視線の位置を前回と一致させることが比較的容易であるものの、横を向いている状態では、視線の先には撮像カメラがないため、前回と同じ姿勢を再現することが困難な状況であった。従って、肌状態の評価に対しても悪影響を及ぼしていた。
【０００５】
本発明は上記実情に鑑みてなされたものであり、その課題は、異なる時期に同じ人物の顔撮影を行う場合に、同一条件での撮影を行うことが可能な顔撮影装置を提供することである。
【課題を解決するための手段】
【０００６】
上記課題を解決するため本発明に係る顔撮影装置は、
顔が正面位置を向く第１の姿勢において顔の正面画像を撮影し、顔が正面位置以外を向く第２の姿勢において顔の側面画像を撮影する顔撮影装置であって、
正面位置に設置される撮像手段と、
第２の姿勢において視線位置を合わせるための目標物と、を備えたことを特徴とするものである。
【０００７】
かかる構成を有する顔撮影装置の作用・効果を説明する。撮像手段により顔の正面画像と側面画像を夫々撮影するが、正面画像を撮影するときは、顔は第１の姿勢であり、この時、視線の先に撮影手段が位置している。一方、側面画像を撮影するときは、顔は第２の姿勢であり、この時、視線の先に撮像手段はないが、目標物が設けられている。従って、この目標物に対して視線を合わせることで、常に同じ方向を向くように顔の姿勢を決めることができる。その結果、異なる時期に同じ人物の顔撮影を行う場合に、同一条件での撮影を行うことが可能な顔撮影装置を提供することができる。
【０００８】
本発明に係る前記目標物は、ミラーもしくは板部材であることが好ましい。ミラーもしくは板部材に対して視線を向けることで、横を向いたときの顔の姿勢が常に同じになるようにすることができる。特に、ミラーの場合は、顔が写るので姿勢を合わせやすく、より好ましい。
【０００９】
本発明において、前記目標物は、十字線であることが好ましい。これにより、例えば、十字線の交点に視線を向けるなどすれば、常に同じ姿勢を再現することができる。
【００１０】
本発明に係る前記十字線は、ミラー表面もしくは板部材表面に形成されることが好ましい。これにより、十字線により視線を合わせやすくなり、再現性も向上させることができる。
【発明を実施するための最良の形態】
【００１１】
本発明に係る顔撮影装置の好適な実施形態を図面を用いて説明する。図１は、顔撮影装置の内部構成を示す横断面図を示し、図２は、図１に示す顔撮影装置の縦断面図である。
【００１２】
この顔撮影装置Ａは、美容皮膚科、美容外科、形成外科などにおいて使用されている。定期的あるいは適度な期間を空けて人の顔を撮影することで肌の状態の経時的な変化を観察し、化粧品や肌治療の効果を確認する目的で使用される。この装置は、得られた顔画像からシミ・シワ・毛穴・色ムラなどの評価を行なう機能を有し、さらには、紫外線を使用したポルフィリン・かくれジミなどの評価を行なうこともできる。
【００１３】
図１において、顔撮影装置Ａは、略立方体形状の筐体１を備えており、顔の撮影を行う時は筐体１内の所定箇所に顔を保持させた状態で行い、室内光などが筐体１内部に侵入しにくいような構造が採用されている。筐体１の正面には開口部１ａが形成されており、ここから顔を挿入させる。開口部１ａからの外光進入を防止するためにカーテン１ｂが設けられる。人の顔を所定位置に保持するための顔保持手段として、あご載せ台２と額押さえ３が設けられている。あご載せ台２と額押さえ３は、人の顔の大きさや形状などに対応できるように手動で位置調整ができるように構成されている。
【００１４】
具体的には、図２に示すように、額押さえ３の押え部３ａは、軸３ｂ周りに回転可能であり、顔の姿勢の変更に対応できるようにしている。あご載せ台２は、連結部２ａを介して軸２ｂ周りに回転可能であり、顔の姿勢の変更に対応できるようにしている。軸３ｂは、押え部３ａの位置よりも少し後側に設けており、同様に、軸２ｂも、あご載せ台２のあごが載る位置よりも少し後側に設けている。また、軸３ｂと軸２ｂは同軸上に設けられている。これにより、顔の姿勢を横向きに変更したとしても、画面の中央に顔が位置するようにしている。
【００１５】
顔を撮影するための撮影手段として撮影カメラ４が設けられており、カメラ支持体５を介して筐体１に保持されている。顔が正面位置を向いたとき（第１の姿勢）には、ちょうど顔が撮影カメラ４と向かい合うように、撮影カメラ４の位置は固定されている。ただし、撮影カメラ４のレンズ中心位置を視線の位置と合致するように調整可能に構成することが好ましい。
【００１６】
顔の側面画像を撮影するときには、顔保持手段を調整して、顔を横向き姿勢（第２の姿勢）にするようにしている。図１に示すように、撮影カメラ４による顔の撮影位置は、正面位置Ｐ０と左右の側面位置Ｐ１，Ｐ２の３箇所が設定されている。顔の視線が正面位置Ｐ０を向いているときに、正面画像の撮影が行われ、顔の視線が側面位置Ｐ１，Ｐ２を向いているときに、側面画像の撮影が行われる。
【００１７】
側面位置Ｐ１，Ｐ２は正面位置Ｐ０に対してθ゜に設定された位置である。このθは、３０゜〜７５゜の間に設定され、一般的には４０゜〜４５゜に設定される。また、側面位置Ｐ１，Ｐ２は２箇所だけでなく、更に多くの側面位置が設定されていてもよい。例えば、３０゜，４５゜，６０゜，７５゜の夫々の位置で側面画像を撮影するように構成してもよい。
【００１８】
撮影カメラ４は、デジタルカメラが使用されるが、どのようなタイプのものを使用してもよい。必要に応じてビデオ機能を有するものを使用してもよく、静止画像を撮影可能なビデオカメラを使用してもよい。
【００１９】
顔を照明するための光源８が筐体１内の複数個所に配置されている。光源８は、顔の位置を中心として円周方向に沿って顔に面するように配置されていると共に、図２に示すように、上方及び下方にも複数個所に配置される。光源８には、可視光を照射する光源と紫外線を照射するブラックライトがあり、目的に応じて使い分けもしくは両方が使用される。可視光を照射する光源８は、ハロゲンランプ、蛍光灯、ＬＥＤ、フラッシュ光源など適宜のものを使用することができる。光源８として、フラッシュ光源を使用してもよい。
【００２０】
光源８から照射される光を均一に拡散するための拡散板９が光源８と顔の間に配置される。拡散板９は、図１に示す横断面形状は円弧形状（半円形状）である。図２に示すように、拡散板９は、顔の正面だけでなく天井部と底面部にも配置されており、従って、この拡散板９により顔が包囲されるような形態となる。なお、拡散板９は、半円形でなくてもよく、多角形、楕円形状を呈していてもよい。撮影カメラ４が設置される正面位置Ｐ０において撮影を可能にするため矩形の開口部９ａが形成される。
【００２１】
また、側面位置Ｐ１，Ｐ２における拡散板９の表面には、比較的小さなミラー６（目標物に相当）が設置されている。このミラー６は、側面位置Ｐ１，Ｐ２において、顔の視線位置を合わせるための目標物として機能するものである。ミラー６に関する詳細は、後述する。
【００２２】
制御装置２０は、顔撮影装置Ａの動作を制御する機能と、撮影カメラ４により撮影された顔画像に関する画像処理を行う機能を有する。モニター２１には、撮影された顔画像が表示される。キーボード２２は、顔撮影装置Ａに対する種々の動作指令入力や画像処理を行なうための種々の動作指令やデータ入力などを行なう。制御装置２０、モニター２１、キーボード２２は、汎用のコンピュータ（パソコン）により構成してもよい。
【００２３】
＜目標物について＞
次に、目標物であるミラー６に関して説明する。前述のように、顔画像を撮影して肌の評価を行うためには、以前に撮影した顔の姿勢と同じ姿勢で顔画像の撮影行う必要がある。従って、以前撮影したときと同じ顔の姿勢を再現できるようにすることが好ましい。
【００２４】
そこで、上記のようなミラー６を配置して、そこに視線位置を合わせるようにすることで、常に同じ顔の姿勢になるようにすることができる。ミラー６は、顔全体が写る大きさであってもよいが、少なくとも、目の近傍のみが写る大きさを有していればよく、例えば、顔の位置から４０ｃｍ程度離れた位置に、５ｃｍ×５ｃｍの大きさのミラー６を配置することができる。ただし、具体的な寸法は、適宜設定することができる。
【００２５】
図３は、ミラー６に顔が写っている状態を示す。目の位置がちょうど中央に来るように顔の位置を微調整することで、常に同じ姿勢を再現することができる。
【００２６】
図４（ａ）は、十字線７をミラー６の表面に形成した例である。十字線７は印刷などにより形成することができる。十字線７は、横線７ａと縦線７ｂにより構成される。図４（ｂ）に示すように、横線７ａは目を合わせるのに用い、縦線７ｂは鼻を合わせるのに用いられる。これにより、より高い確率で同じ顔の姿勢を再現することができる。
【００２７】
図５は、十字線７の異なる実施形態を示す図であり、×印となっている。この場合は、図５（ｂ）に示すように、十字線７の交点の両側の隙間に目の位置が来て、交点の下側に鼻の位置が来るように、合わせることができる。十字線７の大きさ・太さ・配置・角度などについては、適宜変更可能である。
【００２８】
十字線７は、印刷によるものの他、ミラー６の表面に凹部を形成したり、ケガキを入れて形成してもよい。
【００２９】
ミラー６を設ける場合、図６に示すように、右目用のミラー６と左目用のミラー６を別々に設けてもよい。２つのミラー６の間隔は、調整可能にしておき、個人の顔の違いに応じて設定できることが好ましい。調整結果は、個人のデータとして保存しておくことで、次回に撮影するときに、同じ状態に設定することができる。
【００３０】
本実施形態において、目標物の例としてミラー６を説明したが、ミラー６ではなく、通常の板部材（ボード）を配置してもよい。板部材を設ける場合もミラー６の場合と同じように十字線を形成することができる。板部材は、白色などの明るい色が好ましい。
【００３１】
また、目標物としてのミラーや板部材の両方を使用できるようにし、これを切り換えて使用するために切換機構を設けてもよい。人によっては、ミラー６の面がまぶしいために合わせにくいという場合があるため、これを切り換えることで、好ましい方を選択することができる。かかる切換機構の例を図７に示す。ミラー６と板部材１０を回転可能な軸部材１１により支持し、駆動機構１２により軸部材１１を回転させることで、ミラー６か板部材１１かを選択することができる。
【００３２】
＜別実施形態＞
本実施形態では、顔保持手段としてのあご載せ台２と額押さえ３を備えているが、顔保持手段はなくてもよい。
【００３３】
本発明に係るミラー６や板部材は、撮影カメラ４のレンズ中心と同じ高さに設定することが好ましいので、撮像カメラ４の高さを調整した場合には、これと連動してミラー６等も調整できるようにすることが好ましい。
【図面の簡単な説明】
【００３４】
【図１】顔撮影装置の内部構成を示す横断面図
【図２】顔撮影装置の内部構成を示す縦断面図
【図３】ミラーに顔が写った状態を示す図
【図４】ミラーに十字線を入れた状態を示す図
【図５】十字線の別実施形態を示す図
【図６】ミラーの別実施形態を示す図
【図７】ミラーと板部材の切換機構を示す図
【符号の説明】
【００３５】
２        あご載せ台
３        額押さえ
４        撮影カメラ
５        カメラ支持体
６        ミラー
７        十字線
Ａ        顔撮影装置
Ｐ０      正面位置
Ｐ１，Ｐ２      側面位置
【図１】
2009009069.tif 000003
【図２】
2009009069.tif 000004
【図３】
2009009069.tif 000005
【図４】
2009009069.tif 000006
【図５】
2009009069.tif 000007
【図６】
2009009069.tif 000008
【図７】
2009009069.tif 000009